(57)【要約】【課題】  密着イメージセンサと対向配置された読み取り回転体に吸着手段を設けることで原稿に生じたよれ、しわ、波打ちを抑えて、密着イメージセンサと原稿間の間隙距離のバラツキが小さく、精度の高い読み取りを行う原稿画像読み取り装置を提供する。【解決手段】  原稿の画像を読み取る画像読み取り部５を有する画像読み取り装置において、原稿搬送経路内の読み取り方向側に原稿読み取り面上の付着物を除去する付着物除去手段１１と、前記原稿搬送経路を挟んで原稿読み取り位置に対向配置されかつ外周面が基準白色読み取り面となっている原稿搬送方向に回転駆動される読み取り回転体１と、この読み取り回転体１近傍に前記画像読み取り部５と原稿間の距離を保つために原稿を吸着して搬送を行うための原稿吸着・搬送手段７と、前記読み取り回転体１の表面に付着した塵埃を除去する塵埃除去手段６と、原稿吸着と付着物除去の動作を切り換える動作切り換え手段１２とを備える。【選択図】  図１
2006319559.tif 000002
【特許請求の範囲】
【請求項１】
原稿の画像を読み取る画像読み取り部を有する原稿画像読み取り装置において、原稿搬送経路内の読み取り方向側に原稿読み取り面上の付着物を除去する付着物除去手段と、前記原稿搬送経路を挟んで原稿読み取り位置に対向配置され、かつ外周面が基準白色読み取り面となっている原稿搬送方向に回転駆動される読み取り回転体と、該読み取り回転体の近傍に前記画像読み取り部と原稿間の距離を保つために原稿を吸着して搬送を行うための原稿吸着・搬送手段と、前記読み取り回転体の表面に付着した塵埃を除去する塵埃除去手段と、原稿吸着と付着物除去の動作を切り換える動作切り換え手段と、を備えることを特徴とする原稿画像読み取り装置。
【請求項２】
前記読み取り回転体は、帯電系列が異なる第１および第２の表層を有する読み取り回転体と原稿搬送回転体とを兼ねた構成であり、前記読み取り回転体の表層に接触して摩擦帯電させるとともに、その帯電系列が第１および第２の表層間にある摩擦帯電部材を備えており、前記読み取り回転体の外周面に原稿接触面と電位差を生じさせて原稿を前記読み取り回転体に吸着させることを特徴とする請求項１記載の原稿画像読み取り装置。
【請求項３】
電荷注入手段を備え、前記原稿読み取り回転体の表面は、前記画像読み取り部で白色シェーディング補正用の読み取りを行うために基準白色面となっており、前記電荷注入手段からの電荷注入により前記読み取り回転体の外周面の適所に原稿接触面と電位差を生じさせて原稿を読み取り回転体に吸着させることを特徴とする請求項１記載の原稿画像読み取り装置。
【請求項４】
前記塵埃除去手段は、前記摩擦帯電部材の前記読み取り回転体との接触部の上流に設けられ、前記読み取り回転体に付着した塵埃を除去することを特徴とする請求項２または請求項３記載の原稿画像読み取り装置。
【請求項５】
前記読み取り回転体に駆動力を供給し、前記読み取り回転体より上流に配置された原稿搬送回転体によって搬送された原稿接触面を原稿と前記読み取り回転体との電位差により前記原稿を吸着しながら回転・搬送することを特徴とする請求項２または請求項３記載の原稿画像読み取り装置。
【請求項６】
前記読み取り回転体の外周面に前記原稿接触面と電位差を生じさせて前記原稿を前記読み取り回転体に吸着させる原稿吸着手段と、前記読み取り回転体に付着した塵埃を除去する前記塵埃除去手段とを備え、これらの手段は原稿読み取り通紙時および読み取り回転体クリーニング時で切り換えられることを特徴とする請求項１または請求項３乃至請求項５のいずれか１項記載の原稿画像読み取り装置。
【請求項７】
前記読み取り回転体は前記原稿読み取り回転体の電位差による吸着によって搬送された前記原稿を前記原稿読み取り回転体と分離するための分離手段を備えることを特徴とする請求項２または請求項３記載の原稿画像読み取り装置。
【請求項８】
前記付着物除去手段は通紙される原稿表面に付着した塵埃を前記画像読み取り部通過直前に除去することを特徴とする請求項１記載の原稿画像読み取り装置。
【発明の詳細な説明】
【技術分野】
【０００１】
本発明は、複写機、プロッタなどの画像形成装置に併設して使用する密着イメージセンサを用いる原稿画像読み取り装置に関するものである。
【背景技術】
【０００２】
従来では、原稿画像読み取り装置において、原稿が搬送される原稿搬送経路と、この原稿搬送経路上を搬送される原稿に対して読み取り位置が設定されて原稿の画像を読み取る光電変換素子を有する画像読み取り部として密着イメージセンサを使用することは知られている（例えば、特許文献１および２参照）。
特許文献１には、読み取り手段に対向して配置された読み取りローラに白基準機能と原稿を吸着して搬送する機能を兼ね備えさせた技術が開示されている。また、特許文献２には、読み取りローラに白基準機能を持たせる技術が開示されている。
【特許文献１】特開平１１−０４６２８８号公報
【特許文献２】特開平１１−０６９０４７号公報
【発明の開示】
【発明が解決しようとする課題】
【０００３】
しかしながら、上述した画像読み取り装置においては、原稿に生じたよれ、しわ、波打ちなどによって密着イメージセンサと原稿間の間隙距離のバラツキが、精度の高い原稿読み取りを妨げていた。
また、原稿上の付着物による読み取り精度の低下や、密着イメージセンサが読み取り回転体上の基準白色面を読み取って行う白色シェーディング補正の精度の低下も問題となっていた。
そこで、本発明の目的は、上述した実情を考慮して、密着型イメージセンサと対向配置された読み取り回転体に吸着手段を設けることで原稿に生じたよれ、しわ、波打ちを抑えて、密着イメージセンサと原稿間の間隙距離のバラツキが小さく、精度の高い読み取りを行う原稿画像読み取り装置を提供することにある。
【課題を解決するための手段】
【０００４】
上記の課題を解決するために、請求項１に記載の発明は、原稿の画像を読み取る画像読み取り部を有する原稿画像読み取り装置において、原稿搬送経路内の読み取り方向側に原稿読み取り面上の付着物を除去する付着物除去手段と、前記原稿搬送経路を挟んで原稿読み取り位置に対向配置され、かつ外周面が基準白色読み取り面となっている原稿搬送方向に回転駆動される読み取り回転体と、該読み取り回転体の近傍に前記画像読み取り部と原稿間の距離を保つために原稿を吸着して搬送を行うための原稿吸着・搬送手段と、前記読み取り回転体の表面に付着した塵埃を除去する塵埃除去手段と、原稿吸着と付着物除去の動作を切り換える動作切り換え手段と、を備えることを特徴とする。
また、請求項２に記載の発明は、前記読み取り回転体は、帯電系列が異なる第１および第２の表層を有する読み取り回転体と原稿搬送回転体とを兼ねた構成であり、前記読み取り回転体の表層に接触して摩擦帯電させるとともに、その帯電系列が第１および第２の表層間にある摩擦帯電部材を備えており、前記読み取り回転体の外周面に原稿接触面と電位差を生じさせて原稿を前記読み取り回転体に吸着させる請求項１記載の原稿画像読み取り装置を特徴とする。
また、請求項３に記載の発明は、電荷注入手段を備え、前記原稿読み取り回転体の表面は、前記画像読み取り部で白色シェーディング補正用の読み取りを行うために基準白色面となっており、前記電荷注入手段からの電荷注入により前記読み取り回転体の外周面の適所に原稿接触面と電位差を生じさせて原稿を読み取り回転体に吸着させる請求項１記載の原稿画像読み取り装置を特徴とする。
また、請求項４に記載の発明は、前記塵埃除去手段は、前記摩擦帯電部材の前記読み取り回転体との接触部の上流に設けられ、前記読み取り回転体に付着した塵埃を除去する請求項２または請求項３記載の原稿画像読み取り装置を特徴とする。
また、請求項５に記載の発明は、前記読み取り回転体に駆動力を供給し、前記読み取り回転体より上流に配置された原稿搬送回転体によって搬送された原稿接触面を原稿と前記読み取り回転体との電位差により前記原稿を吸着しながら回転・搬送する請求項２または請求項３記載の原稿画像読み取り装置を特徴とする。
また、請求項６に記載の発明は、前記読み取り回転体の外周面に前記原稿接触面と電位差を生じさせて前記原稿を前記読み取り回転体に吸着させる原稿吸着手段と、前記読み取り回転体に付着した塵埃を除去する前記塵埃除去手段とを備え、これらの手段は原稿読み取り通紙時および読み取り回転体クリーニング時で切り換えられる請求項１または請求項３乃至請求項５のいずれか１項記載の原稿画像読み取り装置を特徴とする。
また、請求項７に記載の発明は、前記読み取り回転体は前記原稿読み取り回転体の電位差による吸着によって搬送された前記原稿を前記原稿読み取り回転体と分離するための分離手段を備える請求項２または請求項３記載の原稿画像読み取り装置を特徴とする。
また、請求項８に記載の発明は、前記付着物除去手段は通紙される原稿表面に付着した塵埃を前記画像読み取り部通過直前に除去する請求項１記載の原稿画像読み取り装置を特徴とする。
【発明の効果】
【０００５】
本発明によれば、画像読み取り装置において密着型イメージセンサと対向配置された読み取り回転体に吸着手段を設けることで原稿に生じたよれ、しわ、波打ちを抑えて、密着イメージセンサと原稿間の間隙距離のバラツキが小さい精度の高い読み取りを行うことを行うことができる。
【発明を実施するための最良の形態】
【０００６】
以下、図面を参照して、本発明の実施の形態を詳細に説明する。図１は帯電吸着読み取り回転体を有する画像読み取り装置を示す概略全体図である。図１において、画像読み取り装置は、原稿を搬送する上ガイド８および下ガイド９からなる原稿搬送経路と、この原稿搬送経路上で搬送される原稿に対して読み取り位置を設定しかつ原稿の画像を読み取る光電変換素子を有する画像読み取り部（密着イメージセンサ、ＣＩＳ）５とを含んでいる。
また画像読み取り装置は、原稿搬送経路を挟んで画像読み取り部５による読み取り位置に対向配置されかつ駆動源（図示せず）により原稿搬送方向に回転駆動される読み取り回転体１を含み、さらに摩擦帯電用接触体（または電荷注入手段）７によって読み取り回転体１表層を帯電させて原稿を吸着して搬送を行う。
具体的手段としては当業者に周知のあらゆる手段を採用できる。その手段としては、例えば、特開平０５−２７０６７７号公報に記載されたと同様に、読み取り回転体表層を形成する第１層および第２層に対して帯電系列が第１層＜摩擦帯電用接触体＜第２層となる関係を有するものである。
かかる場合に、使用材料の１例として、第１層にポリエチレン（マイナスに帯電）を、第２層にポリアミド６（プラスに帯電）を、そして摩擦帯電用接触体にポリウレタンゴムを使用することが挙げられる。
画像読み取り装置において、原稿読み取り回転体１の表面は画像読み取り部５で白色シェーディング補正用の読み取りを行うために基準白色面となっている。原稿読み取り時には原稿に生じたよれ、しわ、波打ちなどによる密着イメージセンサ（画像読み取り部）５と原稿間の間隙距離のバラツキを抑制するために、読み取り回転体１は帯電系列が異なる第１、第２の表層を有している。
読み取り回転体兼原稿搬送回転体１と、この読み取り回転体１の表層に接触し摩擦帯電させるとともに、その帯電系列が第１、第２の表層間にある摩擦帯電部材７とを備えることで、読み取り回転体１の表面と原稿接触面の電位差を利用した吸着・搬送を行うことができる。
図１には、さらに、原稿入口ローラ２、入口クラッチ３、排紙ローラ４、白色ローラ分離爪１０、帯電・クリーニング切り換えＳＯＬ（ソレノイド）１２、原稿読み取り面クリーニングブラシ１１および帯電・クリーニング切り換えスプリング１３を示している。
【０００７】
図２は読み取り回転体をクリーニングしている状態を示す概略図である。図３は読み取り回転体を帯電している状態を示す概略図である。図１ないし図３を参照して、読み取り回転体１の外周面は基準白色読み取り面となっている。
読み取り回転体１の表面を帯電させる摩擦帯電用接触体７および読み取り回転体１の表面に付着した塵埃を除去する白色ローラ表面クリーニングブラシ６は帯電・クリーニング切り換えＳＯＬ１２のオン／オフにより切り換えられる。これらは、図示のごとく一体型の構成とする。図２および図３には、図１と同様な帯電・クリーニング切り換えＳＯＬ１２および帯電・クリーニング切り換えスプリング１３を示している。
図２の読み取り回転体１をクリーニングしている状態では帯電・クリーニング切り換えＳＯＬ１２はオンであり、そして図３の読み取り回転体を帯電している状態は帯電・クリーニング切り換えＳＯＬ１２はオフしている。
図４は帯電吸着読み取り回転体を有する画像読み取り装置の制御を説明する概略全体図である。図４には、挿入ローラ（原稿入口ローラ）２、電磁クラッチ（入口クラッチ）３、サイズ検知センサ１４、原稿挿入センサ１５、レジストセンサ１７、後排紙センサ１９、後排紙ローラ２０、上排紙センサ２１、および上排紙ローラ２２が示されている。
さらに、図４には、図１と同様に、読み取り回転体（基準白色平面）１、電荷注入手段７および帯電・クリーニング切り換えＳＯＬ１２が示されている。図４において、「５．５」、「８７」、「６１」等の数字は部品配置における各部品間の距離を示しており、単位はｍｍである。
【０００８】
図５は帯電吸着読み取り回転体を有する画像読み取り装置の制御タイミングを示すタイミングチャートである。図１および図５を参照して、先ず、原稿挿入センサ１５の検知に合わせて帯電・クリーニング切り換えＳＯＬ１２と駆動モータがオンする。
次いで、電磁クラッチ１８がオンしてから原稿が６．５３ｍｍ進んだタイミングで帯電・クリーニング切り換えＳＯＬ１２、駆動モータおよび電磁クラッチ１８がオフする。
帯電・クリーニング切り換えＳＯＬ１２および駆動モータの両方がオンの状態において読み取り回転体１表面にクリーニングブラシ６が接触して読み取り回転体１表面の付着物を除去する。
読み取り回転体１の表面の付着物を除去することで、画像読み取り部（ＣＩＳ）５で基準白色面を読み込み、白色シェーディング補正用データの読み込みバラツキを低減させて精度の高い画像読み取りを行うことができる。
また、帯電・クリーニング切り換えＳＯＬ１２がオフそして駆動モータがオンの状態では、読み取り回転体１の表面に摩擦帯電用接触体（または電荷注入手段）７は帯電・クリーニング切り換えスプリング１２の復元力により接触して、読み取り回転体１が帯電して原稿の吸着搬送を行うことができる。
画像読み取り部５を通過する原稿は、画像読み取り部５の直前に配置された原稿読み取り面クリーニングブラシ１１によって原稿読み取り面上の付着物を除去されかつまた原稿は読み取り回転体１側に押さえ付けられて読み取り回転体１の吸着搬送に助力する条件となる。
このため、原稿に生じたよれ、折れ癖および曲げを抑制して画像読み取り部５と原稿間の間隙距離のバラツキを抑えた精度の高い画像読み取りを行うことができる。読み取り回転体５によって吸着・搬送された原稿は、この画像読み取り部５を通過した後、読み取り回転体分離爪１０により読み取り回転体１から分離される。
原稿通紙が終了した後も駆動モータは一定時間駆動し、再度、帯電・クリーニング切り換えＳＯＬ１２がオンして白色ローラ表面クリーニングブラシ６が読み取り回転体１に接触して表面の付着物を再度除去する。これが本発明による帯電吸着白色ローラ（読み取り回転体）を有する原稿読み取り装置についての一連の動作となる。
読み取り回転体１の表面は画像読み取り部５で白色シェーディング補正用の読み取りデータを作成するために基準白色面となっている。前記原稿読み取り回転体１の表層に接触し摩擦帯電させる摩擦帯電部材７の読み取り回転体接触部の上流にクリーニングブラシ６を配置して読み取り回転体１の表面に付着した塵埃を除去して白色シェーディング補正の精度を向上させることができる。
【０００９】
本発明では、原稿が搬送される原稿搬送経路（上ガイド８、下ガイド９）と、この原稿搬送経路上を搬送される原稿に対して読み取り位置が設定されて原稿の画像を読み取る光電変換素子を有する画像読み取り部５と、原稿搬送経路を挟んで画像読み取り部５による読み取り位置に対向配置されて駆動源により原稿搬送方向に回転駆動される読み取り回転体１を含み、摩擦帯電用接触体（または電荷注入手段）７によって読み取り回転体１の表層を帯電させる。
原稿読み取り回転体１の表面は画像読み取り部５で白色シェーディング補正用の読み取りを行うために基準白色面となっている。読み取り回転体１兼原稿搬送回転体は帯電系列が異なる第１および第２の表層を有している。
この読み取り回転体１の表層に接触し摩擦帯電させるとともに、その帯電系列が第１、第２の表層間にある摩擦帯電部材（接触体）７とを備えている。読み取り回転体１の外周面に原稿接触面と電位差を生じさせて原稿を読み取り回転体１に吸着させる。
この画像読み取り装置において、原稿読み取り回転体１の表面は画像読み取り部５で白色シェーディング補正用の読み取りを行うために基準白色面となっている。したがって、原稿読み取り時には原稿に生じたよれ、しわ、波打ちなどによる画像読み取り部（密着イメージセンサ）５と原稿間の間隙距離のバラツキを抑制する。
このために、帯電系列が異なる第１および第２の表層を有する読み取り回転体１兼原稿搬送回転体と、この読み取り回転体１の表層に接触し摩擦帯電させる。これとともに、その帯電系列が第１および第２の表層間にある摩擦帯電部材７とを備えることで、読み取り回転体１の表面と原稿接触面の電位差を利用した吸着搬送を行うことができる。
【００１０】
本発明によれば、原稿読み取り回転体１の表面は画像読み取り部５で白色シェーディング補正用の読み取りを行うために基準白色面となっている。電荷注入手段７からの電荷注入により読み取り回転体１の外周面の適所に原稿接触面と電位差を生じさせて原稿を読み取り回転体１に吸着させる。
本発明によれば、原稿は原稿搬送経路（上ガイド８、下ガイド９）を通って搬送され、この原稿搬送経路上を搬送される原稿に対して読み取り位置が設定されそして光電変換素子を有する画像読み取り部５が原稿の画像を読み取る。
読み取り回転体１は原稿搬送経路を挟んで画像読み取り部５による読み取り位置に対向配置されて駆動源により原稿搬送方向に回転駆動される。読み取り回転体１の表層を摩擦帯電用接触体または電荷注入手段７によって帯電させて、原稿を吸着して搬送を行う。
原稿吸着・搬送時の動作は、帯電・クリーニング切換ＳＯＬ１２がオフそして駆動モータがオンの状態において、読み取り回転体１の表面に摩擦帯電用接触体または電荷注入手段７が接触しかつ読み取り回転体１が帯電する結果として、行なわれることができる。
本発明によれば、原稿読み取り回転体１の表層に接触し摩擦帯電させる摩擦帯電部材（摩擦帯電用接触体または電荷注入手段７）の読み取り回転体１への接触部の上流に、原稿読み取り回転体１に付着した塵埃を除去する塵埃除去手段を備えている。
本発明では、原稿が搬送される原稿搬送経路（上ガイド８、下ガイド９）と、この原稿搬送経路上を搬送される原稿に対して読み取り位置が設定されかつ原稿の画像を読み取る光電変換素子を有する画像読み取り部（ＣＩＳ）５と、原稿搬送経路８、９を挟んで画像読み取り部５による読み取り位置に対向配置されて駆動源により原稿搬送方向に回転駆動される読み取り回転体１を含み、読み取り回転体１の外周面は基準白色読み取り面となっている。
【００１１】
図５のタイミングチャートで示すように、原稿挿入センサ１５の検知に合わせて帯電・クリーニング切り換えＳＯＬ１２と駆動モータがオンする。次いで電磁クラッチ１８がオンしてから原稿が６．５３ｍｍ進んだタイミングで帯電・クリーニング切り換えＳＯＬ１２、駆動モータ、電磁クラッチ１８がオフする。
帯電・クリーニング切り換えＳＯＬ１２、駆動モータの両方がオンの状態で読み取り回転体１の表面に白色ローラ表面クリーニングブラシ６が接触して読み取り回転体１の表面付着物を除去する。読み取り回転体１の表面の付着物を除去することで、画像読み取り部５で基準白色面を読み込み行う白色シェーディング補正用データの読み込みバラツキを低減させて精度の高い画像読み取りを行うことができる。
本発明によれば、原稿読み取り回転体１は原稿読み取り装置から駆動力を得るものとし、原稿読み取り回転体１より上流に配置された原稿搬送回転体により搬送された原稿接触面を原稿と読み取り回転体１の電位差により原稿を読み取り回転体１に吸着しながら回転・搬送する。駆動モータは、画像読み取り機構が図４のような構成であるとき、図５のようなタイミングチャートで動作するものとする。
このようにすると、原稿読み取り回転体１は原稿読み取り装置から駆動力を得るので、これにより機構の簡素化が可能となる。また原稿読み取り回転体１より上流に配置された原稿搬送回転体（原稿入口ローラ）２により搬送された原稿を原稿接触面と読み取り回転体１の電位差により原稿を読み取り回転体１に吸着しながら回転搬送する。これによって、画像読み取り部５で原稿が浮き上がらず、この画像読み取り部５と原稿の間隙のバラツキを抑えて画像読み取りの精度を向上させることができる。
本発明によれば、画像読み取り装置は、読み取り回転体１の外周面の適所で原稿接触面と電位差を生じさせて原稿を読み取り回転体に吸着させる回転体吸着手段と読み取り回転体１に付着した塵埃を除去する塵埃除去手段を原稿読み取り通紙時と読み取り回転体クリーニング時で切り換えられる切り換え手段を有している。
読み取り回転体１の外周面は基準白色読み取り面となっている。読み取り回転体１の表面を帯電させる摩擦帯電用部材（摩擦帯電用接触体）７と、読み取り回転体１の表面に付着した塵埃を除去する塵埃除去手段（白色ローラ表面クリーニングブレード）６は帯電・クリーニング切り換えＳＯＬ１２のオン／オフにより切り換えられる図１ないし図３で示されるような一体型の構成とする。
【００１２】
図５のタイミングチャートで示すように、原稿挿入センサ１５の検知に合わせて帯電・クリーニング切り換えＳＯＬ１２と駆動モータがオンする。次いで電磁クラッチ１８がオンしてから原稿が６．５３ｍｍ進んだタイミングで帯電・クリーニング切り換えＳＯＬ１２、駆動モータ、電磁クラッチ１８がオフする。
帯電・クリーニング切り換えＳＯＬ１２、駆動モータの両方がオンの状態で読み取り回転体１の表面に白色ローラ表面クリーニングブラシ６が接触して読み取り回転体１の表面付着物を除去する。読み取り回転体１の表面の付着物を除去することで、画像読み取り部５で基準白色面を読み込み行う白色シェーディング補正用データの読み込みバラツキを低減させて精度の高い画像読み取りを行うことができる。
また、帯電・クリーニング切り換えＳＯＬ１２がオフ、駆動モータがオンの状態で読み取り回転体１の表面に摩擦帯電用接触体または電荷注入手段７が接触して、読み取り回転体１が帯電して原稿の吸着搬送を行うことができる。
原稿読み取り通紙時に読み取り回転体１表面を帯電させて吸着搬送させることにより、読み取り回転体１の表面に塵埃が付着することが副作用として挙げられる。
そこで、非原稿読み取り通紙時に読み取り回転体１の表面をクリーニングして読み取り回転体１の表面に付着した塵埃を除去する塵埃除去手段（白色ローラ表面クリーニングブレード）６が必要となり、切り換え機構を用いて集約化し、省スペースで簡便な手段により行うことができる。
【００１３】
本発明によれば、原稿読み取り回転体１は原稿と原稿読み取り回転体１の電位差による吸着により搬送された原稿を搬送回転体に連れ回らずに搬送回転体と分離するための分離手段（白色ローラ分離爪）１０（図１）を備える。これにより、読み取り回転体１によって吸着搬送された原稿は画像読み取り部５を通過した後、読み取り回転体分離爪１０により読み取り回転体１から分離される。
したがって、読み取り回転体に接触する原稿分離爪（白色ローラ分離爪）１０を設けることで原稿読み取り回転体１は原稿と原稿読み取り回転体１の電位差による吸着により搬送された原稿を搬送回転体に連れまわらずに搬送回転体と分離ことができる。
通紙される原稿表面に付着した塵埃は、画像読み取り部５を通過直前に、この画像読み取り部５の直前に配置された原稿読み取り面クリーニングブラシ６（白色ローラ表面クリーニングブラシ）によって除去される。また、同時に、原稿読み取り表面上の付着物除去手段６によって原稿を微力で抑えて吸着力を付与された読み取り回転体１と原稿が接触し易くしている。
したがって、画像読み取り部５を通過する原稿はこの直前に配置された原稿読み取り面クリーニングブラシ６によって原稿読み取り表面上の付着物を除去され、また、原稿は読み取り回転体１側に押さえ付けられて読み取り回転体１の吸着・搬送に助力する条件となるため、原稿に生じたよれ、折れ癖、曲げを抑制して画像読み取り部５と原稿間の間隙距離のバラツキを抑えた精度の高い画像読み取りを行うことができる。
【図面の簡単な説明】
【００１４】
【図１】帯電吸着読み取り回転体を有する画像読み取り装置を示す概略全体図。
【図２】読み取り回転体をクリーニングしている状態を示す概略図。
【図３】読み取り回転体を帯電している状態を示す概略図。
【図４】帯電吸着読み取り回転体を有する画像読み取り装置の制御を説明する概略全体図。
【図５】帯電吸着読み取り回転体を有する画像読み取り装置の制御タイミングを示すタイミングチャート。
【符号の説明】
【００１５】
１  読み取り回転体（白色ローラ）、２  原稿入口ローラ（挿入ローラ）、５  画像読み取り部（接触イメージセンサＣＩＳ）、６  付着物除去手段（白色ローラ表面クリーニングブラシ）、７  原稿吸着搬送手段（摩擦帯電用接触体、電荷注入手段）、１０  分離手段（白色ローラ分離爪）、１１  塵埃除去手段（原稿読み取り面クリーニングブラシ）、１２  帯電・クリーニング切り換えＳＯＬ（ソレノイド）
【図１】
2006319559.tif 000003
【図２】
2006319559.tif 000004
【図３】
2006319559.tif 000005
【図４】
2006319559.tif 000006
【図５】
2006319559.tif 000007